(57)【要約】【課題】  滅菌処理の過程で、上面部の切り裂き筋（スリット）に囲まれた部分が浮き上がらない構成の薬用瓶のゴム栓固定用口金の提供を課題とする。【解決手段】  薬用瓶を閉塞しているゴム栓を固定するための口金１０は、上面部１１と周胴部１２とによって構成されている。上面部１１と周胴部１２とは折り曲げ部１０ａを介して連設されている。上面部１１の中央部には蓋部材取付用の透孔１３が形成されている。透孔１３の周囲には、下側方向に突出するように窪んだ円形溝部２０が形成されている。円形溝部２０の内側の内側上面部２２には、円形溝部２０に略沿うような形状となるように複数個の内側スリット２３が破線状に配設されている。２５，２６は、内側スリット２３から周胴部１２まで連設されているスリットである。内側スリット２３の端部には、円形溝部２０の半径方向に延在する内側スリット端部２３ａが形成されている。【選択図】  図１
2014151941.tif 000002
【特許請求の範囲】
【請求項１】
瓶口がゴム栓によって閉塞されている薬用瓶の当該瓶口に冠着した状態で前記ゴム栓を固定する金属製の円盤状の上面部と円筒状の周胴部とからなる逆有底円筒状の薬用瓶のゴム栓固定用口金であって、
該口金の前記上面部の中央部には、当該口金に冠着固定される合成樹脂製の蓋部材固定用の透孔が設けられ、
前記口金の上面部の前記透孔の周囲には、下側に位置する前記ゴム栓の方向に突出するように窪んだ前記透孔と同心円状の円形溝部が形成され、当該円形溝部の内側には、前記透孔との間に内側上面部が形成され、前記円形溝部の外側には、前記周胴部の上端部との間に外側上面部が形成され、
前記円形溝部の内側の前記内側上面部には、前記円形溝部に略沿うような形状となるように複数個の内側スリットが破線状に配設された内側スリット部が前記円形溝部の半周以上に亘って形成され、
前記内側スリット部の両端部に位置する２つの前記内側スリットには、前記周胴部に形成された２本のスリットの端部に一端が連設されている前記外側上面部と前記円形溝部とに形成された互いに平行な２本のスリットの他端がそれぞれ連設され、
前記内側スリット部を構成している複数個の前記内側スリットのそれぞれの端部には、前記円形溝部を介して前記外側上面部に達する前記円形溝部の半径方向に延在する内側スリット端部が形成されていることを特徴とする薬用瓶のゴム栓固定用口金。
【請求項２】
前記周胴部に形成された２本のスリットの端部に一端が連設されている前記外側上面部と前記円形溝部とに形成された互いに平行な２本のスリットと、前記周胴部に形成された２本のスリットとは、共に他の部分に比して厚みが薄い切り裂き筋によって構成されていることを特徴とする請求項１に記載の薬用瓶のゴム栓固定用口金。
【請求項３】
前記口金の上面部には、開蓋方向を指示する矢印形状の打ち抜き部が形成されていることを特徴とする請求項１に記載の薬用瓶のゴム栓固定用口金。
【請求項４】
請求項１ないし請求項３に記載の薬用瓶のゴム栓固定用口金において、
前記内側スリット端部を有する前記内側スリットと、前記周胴部に形成された２本のスリットの端部に一端が連設されている前記外側上面部と前記円形溝部とに形成された互いに平行な２本のスリットとは共に、前記円形溝部を形成するプレス加工と同一の加工工程において前記円形溝部と同時に形成されることを特徴とする薬用瓶のゴム栓固定用口金の製造方法。
【発明の詳細な説明】
【技術分野】
【０００１】
本発明は、薬用瓶の瓶口を閉塞するゴム栓を固定する薬用瓶のゴム栓固定用口金およびその製造方法に関するものである。
【背景技術】
【０００２】
図５は、従来の薬用瓶の構成を示した斜視図である。
【０００３】
図５において、１は薬剤や薬液２等を収納する薬用瓶、１０は薬用瓶１の瓶口を閉塞しているゴム栓（図１０参照）を固定している金属製の口金、３０は口金１０に冠着した状態で口金１０の上面部に固定されている合成樹脂製の蓋部材である。
【０００４】
図６は、従来の口金１０の構成を示した図で、図６（ａ）は口金１０の上面部１１の構成を示す平面図、図６（ｂ）は口金１０の斜視図である。
【０００５】
図６（ａ），（ｂ）に示したように口金１０は、円盤状の上面部１１と円筒状の周胴部１２とから構成されており、上面部１１の中央部には蓋部材３０固定用の透孔１３が設けられている。図５に示した合成樹脂製の蓋部材３０の上面部の裏面側には、透孔１３に係合可能な円筒部が形成されており、この円筒部を透孔１３に係合させることによって蓋部材２０は口金１０の上部に固定されるものである。
【０００６】
図６（ａ）において、１４は上面部１１の他の部分に比して厚みが薄い切り裂き筋又は切断状態となっているスリットである。この切り裂き筋（スリット）１４は連続して形成されておらず、数ヶ所に上面部１１の他の部分とその厚みが同じな連続部１５が設けられており、この連続部１５によって上面部１１の一体性が保たれている。
【０００７】
さらに、図６（ｂ）に示したように、この上面部１１の切り裂き筋（スリット）１４の端部は、周胴部１２に形成された２本の切り裂き筋（スリット）１６に連設するように形成されている。
【０００８】
このように構成された口金１０は、ゴム栓によって閉塞されている薬用瓶１の瓶口に冠着した状態で周胴部の下端部が瓶口に巻き締め固定されるものである（図１０参照）。
【０００９】
以上のように構成された薬用瓶１に収納されている薬液２を使用する場合には、使用者が図７（ａ）に示した状態から蓋部材３０を外すと、図７（ｂ）に示したように蓋部材３０が外れる過程において、口金１０の上面部１１が切り裂き筋（スリット）１４に沿って切り裂かれ、次いで周胴部１２が切り裂き筋（スリット）１６に沿って切り裂かれる。このようにして、切り裂き筋（スリット）１４，１６に沿って切り裂かれた口金１０を瓶口から外し、瓶口を閉塞しているゴム栓３を外すことによって、使用者は薬用瓶１に収納されている薬液２を使用することができる。
【発明の概要】
【発明が解決しようとする課題】
【００１０】
ここで、薬用瓶１に収納されている薬液２や薬剤は、その種類によっては、出荷する状態（図５に示す状態）にした段階において、高圧高温下で一定時間滅菌処理しなければならないものがある。このような種類の薬液や薬剤に対しては、図５に示したような構成の従来の薬用瓶１は使用することが出来なかった。
【００１１】
その理由は、図５に示したような構成の薬用瓶１に、以上のような滅菌処理を施した場合には、図６に示した連続部１５が滅菌処理の過程において破壊されてしまい、図８に示したように、口金１０の上面部１１の切り裂き筋（スリット）１４が囲まれた部分が浮き上がってしまうからである。即ち、このように切り裂き筋（スリット）１４の内側が浮き上がってしまうと、ゴム栓３に対する押圧力が低下してしまい、ゴム栓３による瓶口の密閉状態を担保することができなくなってしまうからである。
【００１２】
このような現象が起きてしまう理由は、以下のように考えることができる。
【００１３】
図９は、高圧高温下の滅菌処理過程における口金１０の上面部の状態を示した図である。そのＡ−Ａ断面図を図１０（ａ）に示し、そのＢ−Ｂ断面図を図１０（ｂ）に示す。
【００１４】
高温下での滅菌処理過程においては、その熱によってゴム栓３が膨張する。このゴム栓３が膨張して変形する度合は、図１０（ａ），（ｂ）に示すように、ゴム栓３の中央部に近づくに従って大きくなる。従って、図９に示した透孔１３に近い切り裂き筋（スリット）１４においては、その切り裂き筋１４の両側で大きな高低差すなわち圧力差が生じることとなり、その結果として、切り裂き筋（スリット）１４に挟まれた連続部１５に力が加わって連続部１５が破壊されてしまい、切り裂き筋（スリット）１４で囲まれた部分がゴム栓３の中央部の変形に従って浮き上がるという現象が起こってしまうと考えられる。
【００１５】
以上説明したように、図５に示した構造の従来の薬用瓶１においては、滅菌処理をすることが出来ないという問題点があった。
【課題を解決するための手段】
【００１６】
以上の問題点を解消するために、本発明は、瓶口がゴム栓によって閉塞されている薬用瓶の当該瓶口に冠着した状態で前記ゴム栓を固定する金属製の円盤状の上面部と円筒状の周胴部とからなる逆有底円筒状の薬用瓶のゴム栓固定用口金であって、該口金の前記上面部の中央部には、当該口金に冠着固定される合成樹脂製の蓋部材固定用の透孔が設けられ、前記口金の上面部の前記透孔の周囲には、下側に位置する前記ゴム栓の方向に突出するように窪んだ前記透孔と同心円状の円形溝部が形成され、当該円形溝部の内側には、前記透孔との間に内側上面部が形成され、前記円形溝部の外側には、前記周胴部の上端部との間に外側上面部が形成され、前記円形溝部の内側の前記内側上面部には、前記円形溝部に略沿うような形状となるように複数個の内側スリットが破線状に配設された内側スリット部が前記円形溝部の半周以上に亘って形成され、前記内側スリット部の両端部に位置する２つの前記内側スリットには、前記周胴部に形成された２本のスリットの端部に一端が連設されている前記外側上面部と前記円形溝部とに形成された互いに平行な２本のスリットの他端がそれぞれ連設され、前記内側スリット部を構成している複数個の前記内側スリットのそれぞれの端部には、前記円形溝部を介して前記外側上面部に達する前記円形溝部の半径方向に延在する内側スリット端部が形成されていることを特徴とするものである。ここで、前記周胴部に形成された２本のスリットの端部に一端が連設されている前記外側上面部と前記円形溝部とに形成された互いに平行な２本のスリットと、前記周胴部に形成された２本のスリットとは、共に他の部分に比して厚みが薄い切り裂き筋によって構成されていてもよいし、また、前記口金の上面部には、開蓋方向を指示する矢印形状の打ち抜き部が形成されていてもよい。
【００１７】
さらに、本発明は、上述した薬用瓶のゴム栓固定用口金において、前記内側スリット端部を有する前記内側スリットと、前記周胴部に形成された２本のスリットの端部に一端が連設されている前記外側上面部と前記円形溝部とに形成された互いに平行な２本のスリットとは共に、前記円形溝部を形成するプレス加工と同一の加工工程において前記円形溝部と同時に形成されることを特徴とするものである。
【発明の効果】
【００１８】
本発明によれば、滅菌処理の過程で、上面部の切り裂き筋（スリット）に囲まれた部分が浮き上がらない構成の薬用瓶のゴム栓固定用口金およびその製造方法を提供することができる。
【図面の簡単な説明】
【００１９】
【図１】本発明の実施例１の構成を示す斜視図である。
【図２】本発明の実施例１を装着した薬用瓶の斜視図である。
【図３】本発明の実施例１の上面部の構成を示す平面図である。
【図４】本発明の実施例１の構成の説明図である。
【図５】従来の薬用瓶の構成を示す斜視図である。
【図６】従来の薬用瓶のゴム栓固定用口金の構成図である。
【図７】従来の薬用瓶の使用方法の説明図である。
【図８】従来の薬用瓶の説明図である。
【図９】従来の薬用瓶の説明図である。
【図１０】従来の薬用瓶の説明図である。
【発明を実施するための形態】
【００２０】
以下、図面を用いて本発明の実施例を説明する。
【実施例１】
【００２１】
図１は本発明の実施例１の構成を示す斜視図であり、（ａ）は表面側から視た斜視図、（ｂ）は裏面側から視た斜視図である。図２は本実施例１が装着された薬用瓶１の構成を示す斜視図である。図２に示したように、本実施例１も従来例と同様に、ゴム栓によって閉塞されている薬用瓶１の瓶口に冠着させた状態で、周胴部の下端部を瓶口に巻き締め固定することによって瓶口に装着するものである。なお、本実施例１においては、蓋部材３０を取り外す場合の方向を示す矢印の形状の記号が打抜き記号２９となっているために、蓋部材３０を透明ないし半透明の材料で構成すれば、この打抜き記号を通してゴム栓の上面の色が見えるために、従来に比して開蓋方向を視認し易くすることができる。
【００２２】
本実施例１の構成の特徴は、口金１０の上面部１１の構成にあるので、以下、上面部１１の平面構成を示した図３を用いて本実施例の構成を詳しく説明する。なお、図３において（図１（ａ），（ｂ）においても）、図５，図６に示した従来例と同一符号のものは同一のものを示しているので、その説明は省略する。
【００２３】
図３に示したように本実施例１においても、上面部１１の中央部には、従来例と同様に蓋部材３０を固定するための透孔１３が形成されている。
【００２４】
透孔１３の周囲には、下側の方向に（ゴム栓３の上面の方向に）突出するように窪んだ円形溝部２０が透孔１３と同心円状に形成されている。
【００２５】
この円形溝部２０の内側には、透孔１３との間に内側上面部２２が形成され、円形溝部２０の外側には、折り曲げ部１０ａとの間に外側上面部２１が形成されている。
【００２６】
内側上面部２２には、複数個の内側スリット２３が破線状に配設されることによって構成される内側スリット部２４が円形溝部２０に略沿うような形状となるように形成されている。この内側スリット部２４の長さは、円形溝部２０の半周以上の長さとなるように選ばれている。ここで、本実施例１においては、内側スリット２３が破線状（正６角形のうちの連続する４辺の形状）に形成されているが、本発明はこの形状に限定されるものではなく、円形溝部２０に略沿うような内部スリット部２４を形成する形状であればどのような形状であってもよい。例えば、正１２角形のうちの連続する８辺の形状であってもよい。
【００２７】
内側スリット部２４の両端部に位置している２つの内側スリット２３には、それぞれ互いに平行となるように外側上面部２１および円形溝部２０に形成された２本のスリット２５，２６がそれぞれ連設されている。この互いに平行な２本のスリット２５，２６は、それぞれ周胴部１２に形成されているスリットに連設されている（図１参照）。
【００２８】
互いに平行なスリット２５，２６との間には、上面連設部２７が形成されており、透孔１３に固定される蓋部材３０を取り外すときにスリット２５，２６がスムースに切り裂かれるように構成されている。
【００２９】
また、内側スリット部２４を構成している複数個の内側スリット２３のそれぞれの端部には、円形溝部２０の半径方向に延在するように内側スリット端部２３ａが形成されている。本実施例１においては、この内側スリット端部２３ａのそれぞれは外側上面部２１に至るまで延在している。この内側スリット端部２３ａが形成されているために、透孔１３に固定されている蓋部材３０を取り外すときに、内側上面部２２は内側スリット２３に沿ってスムースに切り裂かれる。
【００３０】
２８は口金１０の剥離用のスリットであり、２９は矢印の形状の打抜き記号である。
【００３１】
ここで、以上のように形成されている本実施例１に係るスリット２３，２５，２６について詳しく説明する。
【００３２】
このスリット２３，２５，２６は円形溝部２０の領域にも形成されているスリットである。
【００３３】
従来、このような口金１０を製造するプレス加工の工程においては、円形溝部２０のように口金１０に凹凸を形成するプレス工程と、スリット（他の部分に比して厚みが薄い切り裂き筋または切断状態）を形成するプレス工程とは別の工程として行なわれていた。
【００３４】
しかしながら、この凹凸を形成するプレス工程とスリットを形成するプレス工程とを従来と同様に別の工程とした場合には、本実施例１においては以下のような問題が生じてしまう。即ち、内側スリット２３（内側スリット端部２３ａも含む）とスリット２５，２６とを形成した後に円形溝部２０を形成すると、円形溝部２０領域のスリット２３，２５，２６が潰れてしまい、その部分のスリットの機能が著しく低下してしまう。逆に、円形溝部２０を先に形成した場合には、この凹凸が形成された部分にスリットを形成することが著しく困難となってしまう。
【００３５】
そこで、本実施例においては、少なくとも円形溝部２０にも形成される内側スリット２３（内側スリット端部２３ａも含む）とスリット２５，２６とに関しては、円形溝部２０を形成するプレス加工の過程でスリットを同時に形成するようにすることによって以上の問題を解消することとした。
【００３６】
さらに、スリット２５，２６については、切断状態ではなく他の部分に比して厚みが薄い切り裂き筋にすることで、滅菌処理時におけるこの部分の強度を確保するとともに、上面部１１と周胴部１２とに形成されるスリットを、他の部分に比して厚みが薄い同一の切り裂き筋にすることによって、蓋部材３０を取り外すときに折り曲げ部１０ａにおいてスリット２５，２６に無理な力が加わらず口金１０がスリット２５，２６に沿ってスムースに切り裂かれるように構成されている。因みに、従来の口金においては、上面部１１の部分が切断状態となっており、周胴部１２の部分が厚みが薄い切り裂き筋となっていたために、折り曲げ部においてスリットに無理な力が加わって、周胴部のスリットに沿ってスムースに口金を切り裂くことが出来ないことがあった。
【００３７】
以上のように構成されている本実施例１を、図２に示すように薬用瓶１の瓶口に装着した状態で、高圧高温下で滅菌処理をした場合の動作を図４を用いて説明する。図４は、滅菌処理の状態における薬用瓶１の瓶口付近の縦断面図であり、図４（ａ）は図３におけるＡ−Ａ断面図であり、図４（ｂ）は図３におけるＢ−Ｂ断面図である。
【００３８】
図４（ａ）に示したように、高温高圧下の滅菌処理の過程においては、従来例で説明したときと同様に、ゴム栓３の上面は、その中央部が最も高くなるように膨張する。しかしながら、本実施例１においては、薬用瓶１の瓶口に巻き締め固定されている周胴部１２に、変型しにくい折り曲げ部１０ａを介して連設されている外側上面部２１の端部に位置している円形溝部２０の底部が、そのゴム栓３の上面の膨張を一旦押え込むように作用するので、円形溝部２０の内側におけるゴム栓３の上面の高低差は従来例に比して著しく小さくなる。従って、ゴム栓３の上面は内側上面部２２に抵触しないか、あるいは抵触したとしても、内側スリット２３の両側での圧力差は極めて小さな値とすることができるので、この滅菌処理の過程においては、内側スリット２３に沿って口金１０の上面部１１が切り裂かれるようなことはない。
【００３９】
以上のようなメカニズムで、滅菌処理の過程においても上面部１１が切り裂かれないので、円形溝部２０の径を小さくすればするほど、滅菌処理の過程において上面部１１が切り裂かれる可能性を小さくすることができる。
【符号の説明】
【００４０】
１  薬用瓶
２  薬液
３  ゴム栓
１０  口金
１０ａ  折り曲げ部
１１  上面部
１２  周胴部
１３  透孔
１４，１６，２５，２６，２８  切り裂き筋（スリット）
１５  連続部
２０  円形溝部
２１  外側上面部
２２  内側上面部
２３  内側スリット
２３ａ  内側スリット端部
２４  内側スリット部
２７  上面連設部
２９  打抜き記号
３０  蓋部材
【図１】
2014151941.tif 000003
【図２】
2014151941.tif 000004
【図３】
2014151941.tif 000005
【図４】
2014151941.tif 000006
【図５】
2014151941.tif 000007
【図６】
2014151941.tif 000008
【図７】
2014151941.tif 000009
【図８】
2014151941.tif 000010
【図９】
2014151941.tif 000011
【図１０】
2014151941.tif 000012